(57)【特許請求の範囲】
【請求項１】
ケーシングで入口と弁室と出口を形成し、前記弁室と前記出口を連通する弁孔を前記弁室の下部側壁に開口し、前記弁室内に密閉のフロートを配置し、前記フロートの浮上降下により直接にあるいは弁部材等を介して前記弁孔を開閉するフロート式ドレントラップであって、前記フロートの上方の前記入口の開口部に対向する位置に異物捕捉用のキャップ状のフィルタを配置すると共に、前記フロートの周囲に前記フィルタを保持する保持筒を配置し、前記フロートの上流側を前記フィルタを介して前記入口に連通し、前記フィルタ下方の前記保持筒の外側と前記ケーシングの内側との間に異物溜空間を形成したことを特徴とするフロート式ドレントラップ。
【請求項２】
前記フィルタはその湾曲部が前記入口の開口部に対抗する位置にあることを特徴とする請求項１に記載のフロート式ドレントラップ。
【請求項３】
前記ケーシングは前記異物溜空間を外部に連通するブロー口を有することを特徴とする請求項１又は２に記載のフロート式ドレントラップ。
【請求項４】
前記ブロー口はブローバルブを配置したブロー管が接続されることを特徴とする請求項３に記載のフロート式ドレントラップ。
【発明の詳細な説明】
【技術分野】
【０００１】
本発明は、蒸気配管系や圧縮空気配管系やガス配管系に発生するドレンを自動的に排出するドレントラップに関し、特に密閉のフロートで直接にあるいは弁部材等を介して弁孔を開閉するフロート式ドレントラップに関する。
【背景技術】
【０００２】
従来のフロート式ドレントラップは、例えば特許文献１に開示されている。これは、ケーシングで入口と弁室と出口を形成し、弁室と出口を連通する弁孔を弁室の下部側壁に開口し、弁室内に密閉のフロートを配置し、フロートの浮上降下により直接にあるいは弁部材等を介して弁孔を開閉するフロート式ドレントラップであって、フロートの上方に異物捕捉用のキャップ状のフィルタを配置すると共に、フロートの周囲にフィルタを保持する保持筒を配置し、フロートの上流側をフィルタを介して入口に連通したものである。
【先行技術文献】
【特許文献】
【０００３】
【特許文献１】特開２００３−２４０１９０号公報
【発明の概要】
【発明が解決しようとする課題】
【０００４】
上記従来のフロート式ドレントラップは、入口から流入するゴミ、錆、スケール等の異物をフィルタにより捕捉して二次側へ流下させないものであるが、フィルタが比較的短期間で目詰まりしてしまうという問題点があった。
【０００５】
したがって本発明が解決しようとする課題は、フィルタが目詰まりするまでの期間を延長することのできるフロート式ドレントラップを提供することである。
【課題を解決するための手段】
【０００６】
上記の課題を解決するために、本発明のフロート式ドレントラップは、ケーシングで入口と弁室と出口を形成し、弁室と出口を連通する弁孔を弁室の下部側壁に開口し、弁室内に密閉のフロートを配置し、フロートの浮上降下により直接にあるいは弁部材等を介して弁孔を開閉するフロート式ドレントラップであって、フロートの上方に異物捕捉用のキャップ状のフィルタを配置すると共に、フロートの周囲にフィルタを保持する保持筒を配置し、フロートの上流側をフィルタを介して入口に連通したものにおいて、フィルタ下方の保持筒の外側とケーシングの内側との間に異物溜空間を形成したことを特徴とするものである。
【発明の効果】
【０００７】
本発明によれば、フィルタ下方の保持筒の外側とケーシングの内側との間に異物溜空間を形成したものであるので、入口から流入する異物の一部がフィルタへ流下せずに異物溜空間へ流下して溜まりフィルタに捕捉されないことにより、フィルタが目詰まりするまでの期間を延長できるという効果を奏する。
【図面の簡単な説明】
【０００８】
【図１】本発明の実施の形態に係わるフロート式ドレントラップの断面図である。
【発明を実施するための形態】
【０００９】
以下、本発明の実施の形態について、図１を参照して説明する。本実施例はフリーフロート式スチームトラップに適用したものである。フリーフロート式スチームトラップのケーシングは本体１とこの本体１にボルトで締結した蓋体２とで形成し、内部に弁室３を有する。本体１は入口４と出口通路５と出口６を有し、入口４は弁室３の上部に連通する。弁室３下部側壁の蓋体２に弁孔７を開けた弁座９をねじ結合する。弁孔７は斜め下方に向けて開口する。蓋体２は出口通路１０を有し、弁室３の下部は弁孔７から出口通路１０，５を介して出口６に連通する。弁室３内に弁孔７を開閉する中空球形のフロート１１を自由状態で配置する。フロート１１が弁孔７を閉じた位置で当接するフロート座１２をフロート１１の下方に、図面の手前側と向う側に２つ設ける。
【００１０】
弁室３内に温度応動部材としてのバイメタル１３を配置する。バイメタル１３は断面形状がほぼＵ字状で一端側をビス１４で蓋体２に固定する。バイメタル１３は高温時にＵ字状が狭まるように変形してフロート１１に干渉しないと共に、低温時にＵ字状が拡がるように変形してフロート１１を持ち上げて弁孔７を開ける。
【００１１】
弁室３のフロート１１の上方に異物捕捉用のキャップ状のフィルタ１５を配置すると共に、フロート１１の周囲にフィルタ１５を保持するために蓋体２に載せた保持筒１６を配置する。フィルタ１５は弁孔７よりも小径の濾し孔を多数有する。フロート１１の上流側をフィルタ１５を介して入口４に連通する。フィルタ１５下方の保持筒１６の外側と本体１の内側との間に異物溜空間１７を形成する。本体１には異物溜空間１７を外部に連通するブロー口１８を設け、ブロー口１８にブロー管１９を連結し、ブロー管１９にブローバルブ２０を配置する。
【００１２】
上記実施例のフリーフロート式スチームトラップの動作は下記の通りである。入口４から異物を含む流体が流入する。異物の一部はフィルタ１５へ流下せずに異物溜空間１７へ流下して溜まりフィルタ１５に捕捉されないので、フィルタ１５が目詰まりするまでの期間を延長できる。異物溜空間１７の異物はブローバルブ２０により外部にブローされる。異物の一部はフィルタ１５へ流下して捕捉される。異物の捕捉された流体がフィルタ１５の内側の弁室３内に流入する。弁室３内が低温の場合、バイメタル１３はＵ字状が拡がるように変形してフロート１１を持ち上げて弁孔７を開ける。これにより、低温の空気とドレンを弁孔７から出口６に排出する。低温の空気とドレンの排出によって弁室３内に流入するドレンの温度が高くなると、バイメタル１３はＵ字状が狭まるように変形してフロート１１に干渉しなくなる。弁室３内のドレン量に応じてフロート１１が浮上降下して弁孔７を開閉し、ドレンを弁孔７から出口６に排出する。空気が弁室３内に流入してきて弁室３内の温度が所定以下に低下すると、バイメタル１３はＵ字状が拡がるように変形してフロート１１を持ち上げて弁孔７を開け、空気を弁孔７から出口６に排出する。
【産業上の利用可能性】
【００１３】
本発明は、密閉のフロートで直接にあるいは弁部材等を介して弁孔を開閉することにより、蒸気配管系や圧縮空気配管系やガス配管系に発生するドレンを自動的に排出するフロート式ドレントラップに利用することができる。
【符号の説明】
【００１４】
１  本体
２  蓋体
３  弁室
４  入口
６  出口
７  弁孔
９  弁座
１１  フロート
１５  フィルタ
１６  保持筒
１７  異物溜空間
【図１】
0005431082.tif 000002